(57)【要約】      （修正有）【課題】小動物が騒いでも小動物の状況を把握しながら徐々に開口することができ、捕獲した小動物を取り逃がすことなく、確実に取り出すことができる捕獲器を提供する。【解決手段】かご状本体１の前面に小動物が進入可能な進入口部２が形成され、進入口部を開閉可能な閉込扉体３が設けられ、取出扉体６は下部を支点として垂直閉口位置Ｖから水平開口位置へと下向き揺動自在に設けられ、かご状本体１の後面に取出扉体を垂直閉口位置に保持可能な保持体８をもつ保持機構７を設けてなる。【選択図】図１
0003153218.tif 000002
【実用新案登録請求の範囲】
【請求項１】
かご状本体の前面に小動物が進入可能な進入口部が形成され、該進入口部を開閉可能な閉込扉体が設けられ、待機状態において該閉込扉体を開口状態に保持し得ると共に進入した小動物が餌体に食い付くことにより該閉込扉体を閉口作動させる連動機構が設けられてなり、上記かご状本体の上記進入口部と反対側の後面に取出口部を形成し、該取出口部を覆う取出扉体を設け、該取出扉体は下部を支点として垂直閉口位置から水平開口位置へと下向き揺動自在に設けられ、該かご状本体の後面に該取出扉体を垂直閉口位置に保持可能な保持体をもつ保持機構を設けてなることを特徴とする小動物捕獲器。
【請求項２】
上記保持機構として、上記保持体は線材の折曲により上辺杆部及び左右の側辺杆部からなる門構え形状の保持枠体に形成され、該保持枠体を上記かご状本体を構成する線材により上下開閉移動自在に設け、該保持枠体の左右の側辺杆部の下部の両開放端部に上記かご状本体を構成する線材に係止可能な係止部を形成すると共に該左右の側辺杆部間に両係止部を該線材に係止させる係止用引張バネを掛架してなることを特徴とする請求項１記載の小動物捕獲器。
【考案の詳細な説明】
【技術分野】
【０００１】
本考案は、例えば、ネズミ、イタチなどの小動物を捕獲する際に用いられる小動物捕獲器に関するものである。
【背景技術】
【０００２】
従来、この種の小動物捕獲器として、かご状本体の前面に小動物が進入可能な進入口部が形成され、該進入口部を開閉可能な閉込扉体が設けられ、待機状態において該閉込扉体を開口状態に保持し得ると共に進入した小動物が餌体に食い付くことにより該閉込扉体を閉口作動させる連動機構が設けられ、かご状本体の上記進入口部と反対側の後面に取出口部を形成し、該取出口部を覆う取出扉体を設けて構成した構造のものが知られている。
【先行技術文献】
【特許文献】
【０００３】
【特許文献１】特開２００２−３３０６８８号公報
【考案の概要】
【考案が解決しようとする課題】
【０００４】
しかしながら、この従来構造の場合、上記取出口部の開閉構造が複雑化しやすいことがあるという不都合を有している。
【課題を解決するための手段】
【０００５】
本考案はこれらの不都合を解決することを目的とするもので、本考案のうちで、請求項１記載の考案は、かご状本体の前面に小動物が進入可能な進入口部が形成され、該進入口部を開閉可能な閉込扉体が設けられ、待機状態において該閉込扉体を開口状態に保持し得ると共に進入した小動物が餌体に食い付くことにより該閉込扉体を閉口作動させる連動機構が設けられてなり、上記かご状本体の上記進入口部と反対側の後面に取出口部を形成し、該取出口部を覆う取出扉体を設け、該取出扉体は下部を支点として垂直閉口位置から水平開口位置へと下向き揺動自在に設けられ、該かご状本体の後面に該取出扉体を垂直閉口位置に保持可能な保持体をもつ保持機構を設けてなることを特徴とする小動物捕獲器にある。
【０００６】
又、請求項２記載の考案は、上記保持機構として、上記保持体は線材の折曲により上辺杆部及び左右の側辺杆部からなる門構え形状の保持枠体に形成され、該保持枠体を上記かご状本体を構成する線材により上下開閉移動自在に設け、該保持枠体の左右の側辺杆部の下部の両開放端部に上記かご状本体を構成する線材に係止可能な係止部を形成すると共に該左右の側辺杆部間に両係止部を該線材に係止させる係止用引張バネを掛架してなることを特徴とするものである。
【考案の効果】
【０００７】
本考案は上述の如く、請求項１記載の考案にあっては、かご状本体の上記進入口部と反対側の後面に取出口部を形成し、取出口部を覆う取出扉体を設け、取出扉体は下部を支点として垂直閉口位置から水平開口位置へと下向き揺動自在に設けられ、かご状本体の後面に取出扉体を垂直閉口位置に保持可能な保持体をもつ保持機構を設けてなるから、取出扉体は下部を支点として垂直閉口位置から水平開口位置へと下向き揺動させ、水平開口位置において、捕獲した小動物を取り出すことができ、取出扉体を下部を支点として垂直閉口位置から徐々に水平開口位置へと下向き揺動させながら取出口部を徐々に開口することができ、小動物が騒いでも小動物の状況を把握しながら徐々に開口することができ、捕獲した小動物を取り逃がすことなく、確実に取り出すことができる。
【０００８】
又、請求項２記載の考案にあっては、上記保持機構として、上記保持体は線材の折曲により上辺杆部及び左右の側辺杆部からなる門構え形状の保持枠体に形成され、この保持枠体を上記かご状本体を構成する線材により上下開閉移動自在に設け、保持枠体の左右の側辺杆部の下部の両開放端部に上記かご状本体を構成する線材に係止可能な係止部を形成すると共に該左右の側辺杆部間に両係止部を線材に係止させる係止用引張バネを掛架してなるから、係止用引張バネに抗して左右の側辺杆部を開き動作させて両係止部を線材から離脱し、この離脱状態において、保持枠体を上昇させて保持枠体により取出扉体の開動作を許容し、取出扉体を垂直閉口位置から水平開口位置へと下向き揺動させて取出開口することができ、簡素な構造にして容易に開閉動作を行うことができる。
【図面の簡単な説明】
【０００９】
【図１】本考案の実施の形態例の全体斜視図である。
【図２】本考案の実施の形態例の後面図である。
【図３】本考案の実施の形態例の全体側面図である。
【図４】本考案の実施の形態例の全体側面図である。
【図５】本考案の実施の形態例の拡大後面図である。
【図６】本考案の実施の形態例の閉口状態の拡大側断面図である。
【図７】本考案の実施の形態例の開口状態の拡大側断面図である。
【図８】本考案の実施の形態例の使用状態図である。
【考案を実施するための形態】
【００１０】
図１乃至図８は本考案の実施の形態例を示し、１はかご状本体であって、この場合、線材Ｗにより四角かご状に形成され、前面に小動物が進入可能な進入口部２が形成されている。
【００１１】
３は閉込扉体であって、上記進入口部２を開閉可能な大きさに形成され、閉込扉体３の上辺杆部３ａを進入口部２の開口上辺杆部２ａに枢着部Ｍにより連結し、この枢着部Ｍを支点として開閉自在に設け、かつ、かご状本体１に進入口部２の開口左右辺部に沿って左右一対のガイド杆Ｇ・Ｇを縦設し、閉込扉体３の前面に係止枠３ｂを固定し、ガイド杆Ｇ・Ｇ間に押さえ杆Ｆを上下動自在に係合し、かご状本体１の上面にバネ掛け杆１ａを固定すると共に閉込扉体３の下辺杆部にバネ掛け杆３ｃを固定し、両バネ掛け杆１ａ・３ｃ間に開閉用バネ１ｂを掛架し、押さえ杆Ｆを下方位置に移動することにより閉込扉体３の前面を押さえて閉込扉体３の枢着部Ｍを中心とする不測の上向開口揺動を阻止し、押さえ杆Ｆを上方位置に移動することにより閉込扉体３枢着部Ｍを中心とする上向開口揺動を許容し、閉込扉体３を上向き開口揺動して開閉用バネ１ｂにより水平位置に保持して進入口部２開口保持するように構成している。
【００１２】
４は連動機構であって、この場合、かご状本体１の上面に軸受板４ａにより係止杆４ｂを水平移動自在に設け、係止杆４ｂの後端部に餌付け杆４ｃを連結してかご状本体１の内部に吊下配置し、閉込扉体３の水平開口状態において、係止杆４ｂの先端部に上記係止枠３ｂの上辺部を係止し、水平開口状態を保持し、餌付け杆４ｃにつけておいた餌体Ｂに小動物が食いついたとき、餌付け杆４ｃが揺動して係止杆４ｂが引動されて係止杆４ｂの先端部から上記係止枠３ｂの上辺部が外れたとき、閉込扉体３は開閉用バネ１ｂにより閉口動作するように構成している。
【００１３】
５は取出口部であって、上記かご状本体１の上記進入口部２と反対側の後面に形成され、この取出口部５を覆う取出扉体６を形成し、この取出扉体６は下部の枢着部Ｍを支点として垂直閉口位置Ｖから水平開口位置Ｈへと下向き揺動自在に設けられている。
【００１４】
７は保持機構であって、上記かご状本体１の後面に上記取出扉体６を垂直閉口位置Ｖに保持可能な保持体８を備えて構成され、この場合、保持機構７として、上記保持体８は線材の折曲により上辺杆部８ａ及び左右の側辺杆部８ｂ・８ｂからなる門構え形状の保持枠体Ｋに形成され、この保持枠体Ｋを上記かご状本体１を構成する線材Ｗにより上下開閉移動自在に形成し、保持枠体Ｋの左右の側辺杆部８ｂ・８ｂの下部の両開放端部に上記かご状本体１を構成する線材Ｗに係止可能な係止部Ｋ1・Ｋ1を形成し、かつ、左右の側辺杆部８ｂ・８ｂ間に両係止部Ｋ1・Ｋ1を線材Ｗに係止させる係止用引張バネ８ｃを掛架して構成している。
【００１５】
この実施の形態例は上記構成であるから、閉込扉体３を開口状態に保持して進入口部２を開口し、この待機状態において、小動物が進入口部２から進入し、小動物が餌体Ｎに食いつくと、連動機構４により閉込扉体３を閉口作動し、かご状本体１内に小動物Ｑが閉じ込められて捕獲されることになり、捕獲後、小動物Ｑをかご状本体１内から取り出すことになる。
【００１６】
この際、上記かご状本体１の上記進入口部２と反対側の後面に取出口部５を形成し、取出口部５を覆う取出扉体６を設け、取出扉体６は下部を支点として垂直閉口位置Ｖから水平開口位置Ｈへと下向き揺動自在に設けられ、かご状本体１の後面に取出扉体６を垂直閉口位置Ｖに保持可能な保持体８をもつ保持機構７を設けてなるから、取出扉体６は下部を支点として垂直閉口位置Ｖから水平開口位置Ｈへと下向き揺動させ、水平開口位置Ｈにおいて、捕獲した小動物を取り出すことができ、取出扉体６を下部を支点として垂直閉口位置Ｖから徐々に水平開口位置Ｈへと下向き揺動させながら取出口部５を徐々に開口することができ、小動物Ｑが騒いでも小動物の状況を把握しながら徐々に開口することができ、捕獲した小動物Ｑを取り逃がすことなく、確実に取り出すことができる。
【００１７】
又、この場合、上記保持機構７として、上記保持体８は線材Ｗの折曲により上辺杆部８ａ及び左右の側辺杆部８ｂ・８ｂからなる門構え形状の保持枠体Ｋに形成され、この保持枠体Ｋを上記かご状本体１を構成する線材Ｗにより上下開閉移動自在に設け、保持枠体Ｋの左右の側辺杆部８ｂ・８ｂの下部の両開放端部に上記かご状本体１を構成する線材Ｗに係止可能な係止部Ｋ1・Ｋ1を形成すると共に該左右の側辺杆部８ｂ・８ｂ間に両係止部Ｋ1・Ｋ1を線材Ｗに係止させる係止用引張バネ８ｃを掛架してなるから、係止用引張バネ８ｃに抗して左右の側辺杆部８ｂ・８ｂをそれぞれ外方に向けて開き動作させて両係止部Ｋ1・Ｋ1を線材Ｗから離脱し、この離脱状態において、図４から図７の如く、保持枠体Ｋを上昇させて保持枠体Ｋにより取出扉体６の開動作を許容し、取出扉体６を垂直閉口位置Ｖから水平開口位置Ｈへと下向き揺動させて取出開口することができ、簡素な構造にして容易に開閉動作を行うことができる。
【００１８】
以上の如く、所期の目的を充分達成することができる。
【符号の説明】
【００１９】
Ｗ    線材
Ｖ    垂直閉口位置
Ｈ    水平開口位置
Ｋ    保持枠体
Ｋ1    係止部
Ｑ    小動物
Ｎ    餌体
１    かご状本体
２    進入口部
３    閉込扉体
４    連動機構
５    取出口部
６    取出扉体
７    保持機構
８    保持体
８ａ    上辺杆部
８ｂ    側辺杆部
８ｃ    係止用引張バネ
【図１】
0003153218.tif 000003
【図２】
0003153218.tif 000004
【図３】
0003153218.tif 000005
【図４】
0003153218.tif 000006
【図５】
0003153218.tif 000007
【図６】
0003153218.tif 000008
【図７】
0003153218.tif 000009
【図８】
0003153218.tif 000010